(57)【要約】【課題】  ディスプレイモジュール、表示スクリーン及びディスプレイシステムを提供することを課題とする。【解決手段】  本発明は、ディスプレイモジュール、表示スクリーン及びディスプレイシステムを開示し、前記ディスプレイモジュールは、フレームと、複数の表示ユニットパネルと、を備え、前記複数の表示ユニットパネルが接合されて前記フレームに取り付けられることで、表示面を形成し；前記フレームは、額縁と、前記額縁に取り付けられた受枠と、を備え；各前記表示ユニットパネルは、回路基板と、前記回路基板の前面に取り付けられた複数のピクセルと、を備え、前記回路基板の裏面は前記額縁及び受枠に接着され、各前記ピクセルポイントは少なくとも１つのLEDチップを備える。本発明のディスプレイモジュールは、フレームを介して複数の表示ユニットパネルを接合することによって表示面を形成する。
2021522560.tif 000002
【特許請求の範囲】
【請求項１】
額縁と、前記額縁に取り付けられた受枠と、を備えるフレームと、
前面及び裏面を有し、前記裏面が前記額縁及び前記受枠に取り付けられた回路基板と、前記前面に取り付けられ、少なくとも１つのＬＥＤチップを各々備える複数のピクセルと、を含み、接合されて前記フレームに取り付けられることで、表示面を形成する複数の表示ユニットパネルと、
を備えることを特徴とする、ディスプレイモジュール。 
【請求項２】
前記受枠の前記表示ユニットパネルから離れた側に取り付けられ、各々複数の前記表示ユニットパネルと電気的に接続されるアダプタボードと、
前記アダプタボードの前記受枠から離れた面に取付けられたメイン受信カードと、
をさらに備えることを特徴とする、請求項１に記載のディスプレイモジュール。
【請求項３】
前記アダプタボードの前記受枠から離れた面に取付けられたバックアップ受信カードをさらに備えることを特徴とする、請求項２に記載のディスプレイモジュール。
【請求項４】
前記アダプタボードには前記メイン受信カードと電気的に導通する第１入力インターフェース、第１出力インターフェース及び前記バックアップ受信カードと電気的に導通する第２入力インターフェース、第２出力インターフェースが設けられ、
前記第１入力インターフェース及び第２入力インターフェースは、データの入力に使用され；
前記第１出力インターフェース及び第２出力インターフェースは、データの出力に使用される、
ことを特徴とする、請求項３に記載のディスプレイモジュール。
【請求項５】
前記受枠は、縦横交差構造であり、前記額縁と組み合わせることで複数の取付枠を形成し、各前記表示ユニットパネルの前記回路基板の周縁が前記取付枠に接着されることを特徴とする、請求項１に記載のディスプレイモジュール。
【請求項６】
前記受枠の前記表示ユニットパネルから離れた側に凹溝が設けられることを特徴とする、請求項１に記載のディスプレイモジュール。
【請求項７】
複数の磁石アセンブリをさらに備え、前記受枠の前記表示ユニットパネルから離れた側に複数の取り付け溝が設けられ、各前記磁石アセンブリは、前記取り付け溝に別々に取り付けることができることを特徴とする、請求項１に記載のディスプレイモジュール。
【請求項８】
各前記表示ユニットパネルは、前記回路基板を覆い、前記複数のピクセルをカプセル化するカプセル化層をさらに備え、前記カプセル化層は縦横交差溝を有し、前記溝は前記カプセル化層を複数の離間したレンズ部に分割し、前記溝は任意の隣接する２つの前記ピクセルから離間され、各前記レンズ部が前記ピクセルに対応して配置され；
前記カプセル化層は、複数の横方向の凹溝を有し、各前記横方向の凹溝が隣接する２つの前記ピクセルの間に設けられ；又は
前記カプセル化層は、複数の縦方向の凹溝を有し、各前記縦方向の凹溝が隣接する２つの前記ピクセルの間に設けられる、
ことを特徴とする、請求項１に記載のディスプレイモジュール。
【請求項９】
前記回路基板は、コネクタを通じて電気的に接続されたライトボードと、ドライバボードと、を備え、前記複数のピクセルが前記ライトボードの前記ドライバボードから離れた面に設けられ、前記ドライバボード上に複数のドライブチップが設けられることを特徴とする、請求項１に記載のディスプレイモジュール。
【請求項１０】
前記アダプタボードと電気的に接続し、第１直流電圧を第２直流電圧（第１直流電圧は、第２直流電圧よりも大きい）に変換するための第１モジュール電源をさらに備えることを特徴とする、請求項２に記載のディスプレイモジュール。
【請求項１１】
前記アダプタボードと電気的に接続し、交流電源を直流電源に変換するための第２モジュール電源をさらに備えることを特徴とする、請求項２に記載のディスプレイモジュール。
【請求項１２】
ボトムケースと、前記ボトムケースに取り付けられたディスプレイモジュールと、を備え、２つ以上のディスプレイモジュールが接合されて表示面を形成するように配置され、前記ディスプレイモジュールは請求項１〜１０のいずれか一項に記載のディスプレイモジュールであることを特徴とする、表示スクリーン。
【請求項１３】
前記ボトムケースと前記ディスプレイモジュールとの間に設けられ、各々全ての前記ディスプレイモジュールに電気的に接続され、交流電源を直流電源に変換して電力を供給するための第１電源ユニットをさらに備えることを特徴とする、請求項１２に記載の表示スクリーン。
【請求項１４】
前記ボトムケースと前記ディスプレイモジュールとの間に設けられ、各々全ての前記ディスプレイモジュールに電気的に接続され、交流電源を直流電源に変換して電力を供給するための第２電源ユニットをさらに備えることを特徴とする、請求項１３に記載の表示スクリーン。
【請求項１５】
前記ボトムケースの内面には少なくとも一組の突条が設けられ、第１電源ユニットは一組の前記突条に取付けられることを特徴とする、請求項１３に記載の表示スクリーン。
【請求項１６】
前記ボトムケースの一方の側に第１貫通孔が設けられ、他方の側に第２貫通孔が設けられ、前記第１貫通孔と前記第２貫通孔が対向して配置され；
前記表示スクリーンは、データ及び電源を伝送するための第１スプライスコネクタと第２スプライスコネクタをさらに備え、前記第１スプライスコネクタが前記ボトムケース内に取付けられ、前記第１貫通孔を通じて接続でき、前記第２スプライスコネクタが前記ボトムケース内に取付けられ、前記第２貫通孔を通じて接続でき；
前記表示スクリーンの前記第１スプライスコネクタは、隣接する他の前記表示スクリーンの前記第２スプライスコネクタに嵌挿するために用いられる、
ことを特徴とする、請求項１２に記載の表示スクリーン。
【請求項１７】
前記ボトムケースは、金属を備えることを特徴とする、請求項１２に記載の表示スクリーン。
【請求項１８】
スタンドと、前記スタンドに取り付けられた表示スクリーンと、を備え、２つ以上の前記ディスプレイモジュールが接合されて表示面を形成するように配置され、前記表示スクリーンが請求項１２〜１７のいずれか一項に記載の表示スクリーンであることを特徴とする、ディスプレイシステム。
【請求項１９】
順次配置された複数の表示ユニットパネルと、フレームと、後カバー部と、を備え、前記複数の表示ユニットパネルが接合されて前記フレームに取り付けられることで、表示面を形成し、前記フレームは前記後カバー部に取付けられ；
前記フレームは、額縁と、前記額縁に取り付けられた受枠と、を備え；
各前記表示ユニットパネルは、回路基板と、前記回路基板の前面に取り付けられた複数のピクセルと、を備え、前記回路基板の裏面は前記額縁及び前記受枠に取り付けられ、各前記ピクセルポイントが少なくとも１つのLEDチップを備える、
ことを特徴とするディスプレイモジュール。
【請求項２０】
前記フレームと前記後カバー部との間に設けられたアダプタボード及びメイン受信カードをさらに備え；
前記アダプタボードは、前記受枠の前記表示ユニットパネルから離れた側に取り付けられ、各々複数の前記表示ユニットパネルと電気的に接続し；
前記メイン受信カードは、前記アダプタボードの前記受枠から離れた面に取付けられる、
ことを特徴とする、請求項１９に記載のディスプレイモジュール。
【請求項２１】
前記アダプタボードの前記受枠から離れた面に取付けられたバックアップ受信カードをさらに備えることを特徴とする、請求項２０に記載のディスプレイモジュール。
的一面上。
【請求項２２】
前記アダプタボードには前記メイン受信カードと電気的に導通する第１入力インターフェース、第１出力インターフェース及び前記バックアップ受信カードと電気的に導通する第２入力インターフェース、第２出力インターフェースが設けられ、
前記第１入力インターフェース及び第２入力インターフェースは、データの入力に使用され；
前記第１出力インターフェース及び第２出力インターフェースは、データの出力に使用される、
ことを特徴とする、請求項２１に記載のディスプレイモジュール。
【請求項２３】
前記受枠は、縦横交差構造であり、前記額縁と組み合わせることで複数の取付枠を形成し、各前記表示ユニットパネルの前記回路基板の周縁が前記取付枠に接着されることを特徴とする、請求項１９に記載のディスプレイモジュール。
【請求項２４】
前記受枠の前記表示ユニットパネルから離れた側に凹溝が設けられることを特徴とする、請求項１９に記載のディスプレイモジュール。
【請求項２５】
複数の磁石アセンブリをさらに備え、前記受枠の前記表示ユニットパネルから離れた側に複数の取り付け溝が設けられ、各取り付け溝は、前記額縁の異なるコーナーに近く；
各前記磁石アセンブリは、前記取り付け溝に別々に取り付けることができる、
ことを特徴とする、請求項１９に記載のディスプレイモジュール。
【請求項２６】
各前記表示ユニットパネルは、前記回路基板を覆い、前記複数のピクセルをカプセル化するカプセル化層をさらに備え、前記カプセル化層は縦横交差溝を有し、前記溝は前記カプセル化層を複数の離間したレンズ部に分割し、前記溝は任意の隣接する２つの前記ピクセルから離間され、各前記レンズ部が前記ピクセルに対応して配置され；
前記カプセル化層は、複数の横方向の凹溝を有し、各前記横方向の凹溝が隣接する２つの前記ピクセルの間に設けられ；又は
前記カプセル化層は、複数の縦方向の凹溝を有し、各前記縦方向の凹溝が隣接する２つの前記ピクセルの間に設けられる、
ことを特徴とする、請求項１９に記載のディスプレイモジュール。
【請求項２７】
前記回路基板は、コネクタを通じて電気的に接続されたライトボードと、ドライバボードと、を備え、前記複数のピクセルが前記ライトボードの前記ドライバボードから離れた面に設けられ、前記ドライバボード上に複数のドライブチップが設けられることを特徴とする、請求項１９に記載のディスプレイモジュール。
【請求項２８】
前記アダプタボードと電気的に接続し、第１直流電圧を第２直流電圧（第１直流電圧は、第２直流電圧よりも大きい）に変換するための第１モジュール電源をさらに備えることを特徴とする、請求項２０に記載のディスプレイモジュール。
【請求項２９】
前記アダプタボードと電気的に接続し、交流電源を直流電源に変換するための第２モジュール電源をさらに備えることを特徴とする、請求項２０に記載のディスプレイモジュール。
【請求項３０】
筐体と、前記筐体に取り付けられたディスプレイモジュールと、を備え、２つ以上のディスプレイモジュールが接合されて表示面を形成するように配置され、前記ディスプレイモジュールは請求項１９〜２８のいずれか一項に記載のディスプレイモジュールであることを特徴とする、表示スクリーン。
【請求項３１】
前記筐体に個別に取り付けられた電源モジュールをさらに備え、前記電源モジュールがシェルと、前記シェル内に収容された第１電源ユニットと、を備え、前記第１電源ユニットが各々全ての前記ディスプレイモジュールと電気的に接続し、交流電源を直流電源に変換して電力を供給するために用いられることを特徴とする、請求項３０に記載の表示スクリーン。
【請求項３２】
前記シェル一端に突起が設けられ、前記筐体は前記突起に対応して収容溝を有し、前記突起が前記収容溝内に収容され；
前記電源モジュールは、ロックレバーをさらに備え、前記筐体が前記ロックレバーに対応して係合孔を有し、前記ロックレバーが前記シェルの他端を通して前記係合孔に挿入されると共に前記係合孔と係合する、
ことを特徴とする、請求項３１に記載の表示スクリーン。
【請求項３３】
前記電源モジュールは、前記シェル内に収容される第２電源ユニットをさらに備え、前記第２電源ユニットが各々全ての前記ディスプレイモジュールと電気的に接続し、交流電源を直流電源に変換して電力を供給するために用いられることを特徴とする、請求項３１に記載の表示スクリーン。
【請求項３４】
スタンドと、前記スタンドに取り付けられた表示スクリーンと、を備え、２つ以上の前記ディスプレイモジュールが接合されて表示面を形成するように配置され、前記表示スクリーンが請求項３０〜３３のいずれか一項に記載の表示スクリーンであることを特徴とする、ディスプレイシステム。
【発明の詳細な説明】
【技術分野】
【０００１】
本発明は、ＬＥＤディスプレイ技術の分野に関し、特に、ディスプレイモジュール、表示スクリーン及びディスプレイシステムに関する。
【背景技術】
【０００２】
従来技術では、ディスプレイモジュールは、回路基板及び回路基板に取り付けられたプラグインＬＥＤランプビーズ又はＳＭＤ ＬＥＤランプビーズを含み、前記回路基板及びその上のランプビーズは表示ユニットパネルを構成する。一般的にディスプレイモジュールには、表示ユニットパネルが１つしない。ドットピッチの継続的な発展に伴い、高集積化の表示ユニットパネルが登場した。すなわち、LEDチップが回路基板に直接集積されるようになった。ただし、高集積化の表示ユニットパネルの面積が小さいため、ディスプレイモジュールを作製する時、数枚の表示ユニットパネルを1つの表示面として接合させる必要がある。この点で、複数の表示ユニットパネルを接合することによって形成されるディスプレイモジュールの構造を提供することが急務になっていた。
【発明の概要】
【発明が解決しようとする課題】
【０００３】
本発明の主な目的は、複数の表示ユニットパネルを接合することによって形成されるディスプレイモジュールの構造を提供することである。
【課題を解決するための手段】
【０００４】
上記目的を達成するため、本発明は、フレームと、複数の表示ユニットパネルと、を備え、前記複数の表示ユニットパネルが接合されて前記フレームに取り付けられることで、表示面を形成し；前記フレームは、額縁と、前記額縁に取り付けられた受枠と、を備え；各前記表示ユニットパネルは、回路基板と、前記回路基板の前面に取り付けられた複数のピクセルと、を備え、前記回路基板の裏面は前記額縁及び受枠に接着され、各前記ピクセルポイントが少なくとも１つのLEDチップを備えるディスプレイモジュールを提供する。
【０００５】
上記目的を達成するため、本発明は、ボトムケースと、前記ボトムケースに取り付けられたディスプレイモジュールと、を備え、２つ以上のディスプレイモジュールが接合されて表示面を形成するように配置され；前記ディスプレイモジュールは、フレームと、複数の表示ユニットパネルと、を備え、前記複数の表示ユニットパネルが接合されて前記フレームに取り付けられることで、表示面を形成し；前記フレームは、額縁と、前記額縁に取り付けられた受枠と、を備え；各前記表示ユニットパネルは、回路基板と、前記回路基板の前面に取り付けられた複数のピクセルと、を備え、前記回路基板の裏面は前記額縁及び受枠に接着され、各前記ピクセルポイントが少なくとも１つのLEDチップを備えるスクリーンをさらに提供する。
【０００６】
上記目的を達成するため、本発明は、順次配置された複数の表示ユニットパネルと、フレームと、後カバー部と、を備え、前記複数の表示ユニットパネルが接合されて前記フレームに取り付けられることで、表示面を形成し、前記フレームは前記後カバー部に取付けられ；前記フレームは、額縁と、前記額縁に取り付けられた受枠と、を備え；各前記表示ユニットパネルは、回路基板と、前記回路基板の前面に取り付けられた複数のピクセルと、を備え、前記回路基板の裏面は前記額縁及び前記受枠に取り付けられ、各前記ピクセルポイントが少なくとも１つのLEDチップを備えるディスプレイモジュールをさらに提供する。
【０００７】
上記目的を達成するため、本発明は、筐体と、前記筐体に取付けられたディスプレイモジュールと、を備え、２つ以上のディスプレイモジュールが接合されて表示面を形成するよう配置され、前記ディスプレイモジュールが順次配置された複数の表示ユニットパネルと、フレームと、後カバー部と、を備え、前記複数の表示ユニットパネルが接合されて前記フレームに取り付けられることで、表示面を形成し、前記フレームは前記後カバー部に取付けられ；前記フレームは、額縁と、前記額縁に取り付けられた受枠と、を備え；各前記表示ユニットパネルは、回路基板と、前記回路基板の前面に取り付けられた複数のピクセルと、を備え、前記回路基板の裏面は前記額縁及び前記受枠に取り付けられ、各前記ピクセルポイントが少なくとも１つのLEDチップを備える表示スクリーンをさらに提供する。
【０００８】
上記目的を達成するため、本発明は、スタンドと、前記スタンドに取り付けられた表示スクリーンと、を備え、２つ以上のディスプレイモジュールが接合されて表示面を形成するように配置され、前記表示スクリーンが上記の表示スクリーンであるディスプレイシステムをさらに提供する。
【発明の効果】
【０００９】
本発明の技術的手段では、フレームを介して複数の表示ユニットパネルを配置及び接合することによって表示面を形成し、複数の表示ユニットパネルがフレームの額縁及び受枠に取り付けられるため、接合しやすく、プロセスが単純で信頼性が高く、接合面の平滑性を保証し、かつ表示ユニットパネル間の継ぎ目を減らすことができる。
【００１０】
以下、本発明の実施例又は従来技術における技術的手段を明確に説明するため、実施例又は従来技術の説明に使用する必要がある添付図面を簡単に紹介する。以下に説明する添付図面は、本発明のいくつかの実施例のみであり、当業者は創造的な作業をせずに、これらの添付図面に基づいてその他の添付図面を得ることができる。
【図面の簡単な説明】
【００１１】
【図１】本発明の実施例１に係るディスプレイモジュールの構造模式図である。
【図２】図１のディスプレイモジュールの別の角度から見た構造模式図である。
【図３】図２のディスプレイモジュールの分解図である。
【図４】図２のディスプレイモジュールの表示ユニットパネルの構造模式図である。
【図５】本発明の実施例２に係るディスプレイモジュールの構造模式図である。
【図６】本発明の実施例３に係るディスプレイモジュールの構造模式図である。
【図７】本発明の実施例６に係るディスプレイモジュールの表示ユニットパネルの構造模式図である。
【図８】本発明の実施例１に係る表示スクリーンの構造模式図である。
【図９】図８の表示スクリーンの別の角度から見た構造模式図である。
【図１０】図９の表示スクリーンの分解図である。
【図１１】本発明の実施例２に係る表示スクリーンの構造模式図である。
【図１２】本発明の実施例７に係るディスプレイモジュールの構造模式図である。
【図１３】図１２のディスプレイモジュールの別の角度から見た構造模式図である。
【図１４】図１３のディスプレイモジュールの分解図である。
【図１５】図１３のディスプレイモジュールの表示ユニットパネルの構造模式図である。
【図１６】本発明の実施例８に係るディスプレイモジュールの構造模式図である。
【図１７】本発明の実施例９に係るディスプレイモジュールの構造模式図である。
【図１８】本発明の実施例１２に係るディスプレイモジュールの表示ユニットパネルの構造模式図である。
【図１９】本発明の表示スクリーンの実施例５の構造模式図である。
【図２０】図１９の表示スクリーンの別の角度から見た構造模式図である。
【図２１】図１９の表示スクリーンの分解図である。
【図２２】図２０の表示スクリーンの分解図である。
【図２３】図１９の表示スクリーンの電源モジュールの構造模式図である。
【図２４ａ】図１９の表示スクリーンのフロントメンテナンス原理図である。
【図２４ｂ】図１９の表示スクリーンのフロントメンテナンス原理図である。
【図２５ａ】図１９の表示スクリーンのリアメンテナンス原理図である。
【図２５ｂ】図１９の表示スクリーンのリアメンテナンス原理図である。
【図２６】本発明の一実施例に係るディスプレイシステムの原理図である。
【発明を実施するための形態】
【００１２】
以下に添付図面及び実施例を参照しつつ、本発明の目的、機能的特徴及び利点をさらに説明する。
【００１３】
以下、図面を参照して、本発明の実施例における技術的手段を詳細に説明するが、説明する実施例は本発明の一部の実施例であり、全ての実施例でないことは言うまでもない。本発明中の実施例に基づいて、当業者が創造的な作業をせずに得られた全ての他の実施例は、いずれも本発明の保護範囲に属する。
【００１４】
本発明の実施例における方向指示（例えば、上、下、左、右、前、後など）は、特定の方位（図に示される）における構成要素間の相対位置、移動状態を説明するためにのみ使用され、当該特定の方位などが変わると、それに応じて当該示した方位もそれに応じて変わる。
【００１５】
なお本発明において、用語「第１」、「第２」は単に目的を説明するためにのみ使用されており、それらの相対的な重要性を指示又は示唆する、或いは示された技術的特徴の数を暗黙的に示すと理解してはいけない。したがって、「第１」、「第２」で定義された特徴は、少なくとも一つの特徴を含むことを明示又は示唆するものである。また各実施例間の技術的手段は互いに組み合わせることができるが、それらは当業者によって達成できるものに基づく必要がある。技術的手段の組み合わせが矛盾するか又は達成できない場合、そのような技術的手段の組み合わせは存在せず、本発明の保護範囲内にないと考えるべきである。
【実施例】
【００１６】
本発明は、ディスプレイモジュールを提供する。図１〜図４を参照されたい。実施例１において、ディスプレイモジュール１は、フレーム１０と、複数の表示ユニットパネル１１と、を備え、複数の表示ユニットパネル１１が接合されてフレーム１０に取り付けられることで、表示面を形成し；前記フレーム１０は、額縁１００と、額縁１００に取り付けられた受枠１０２と、を備え；各表示ユニットパネル１１は、回路基板１１０と、回路基板１１０の前面に取り付けられた複数のピクセルと、を備え、回路基板１１０の裏面は額縁１００及び受枠１０２に接着され、各ピクセルポイントは少なくとも１つのLEDチップ１１２を備える。
【００１７】
本実施例のディスプレイモジュール１は、フレーム１０を介して複数の表示ユニットパネル１１を配置及び接合することによって表示面を形成し、複数の表示ユニットパネル１１がフレーム１０の額縁１００及び受枠１０２に取り付けられるため、接合しやすく、プロセスが単純で信頼性が高く、接合面の平滑性を保証し、かつ表示ユニットパネル１１間の継ぎ目を減らすことができる。
【００１８】
なお、本発明では、回路基板１１０の裏面は、螺着、接着又はその他の方法によりフレーム１０に取付けることができ、例えば、回路基板１１０の裏面に銅ピラーを溶接し、ネジでフレーム１０と銅ピラーを接続する。受枠１０２は、縦横交差構造、斜め交差構造又はその他の構造であり、回路基板１１０の裏面を支持、載置する役目を果たしている。したがって、額縁１００と組み合わせて複数の表示ユニットパネル１１を接合・取り付けるために用いられる。明らかに、回路基板１１０の裏面のデバイスが受枠１０２を回避するよう配置されている。
【００１９】
本実施例において、ディスプレイモジュール１は、アダプタボード１２と、メイン受信カード１３と、をさらに備え、アダプタボード１２は受枠１０２の表示ユニットパネル１１から離れた側に取り付けられ、各々複数の表示ユニットパネル１１と電気的に接続し、メイン受信カード１３はアダプタボード１２の受枠１０２から離れた面に取付けられる。
【００２０】
メイン受信カード１３は、アダプタボード１２に取付けられてアダプタボード１２と電気的に接続される。メイン受信カード１３は、データを受信して処理した後、アダプタボード１２を通じてデータを各表示ユニットパネル１１に伝送することで、データの表示を実現する。ここで、メイン受信カード１３は、受信カードであり、受信制御カード又は制御カードと呼ばれることもあり；アダプタボード１２もＨｕｂボードとも呼ばれる。
【００２１】
本実施例において、メイン受信カード１３は、コネクタを通じてアダプタボード１２上に差し込んで取り付けられ、メイン受信カード１３の取り付け・取り外しを容易にし、迅速な抜き差しを実現する。同時にメイン受信カード１３をアダプタボード１２にさらに固定するため、メイン受信カード１３をアダプタボード１２に螺着する。好ましくは、メイン受信カード１３には２列のメスコネクタを設け、アダプタボード１２にも２列のオスコネクタを設け、メイン受信カード１３のメスコネクタはアダプタボード１２のオスコネクタと嵌合する。しかしながら、その他の実施例において、メイン受信カード１３は、フラットケーブルを介してアダプタボード１２と接続できる。
【００２２】
本実施例において、アダプタボード１２にはメイン受信カード１３と電気的に導通する第１入力インターフェース１２０、第１出力インターフェース１２２が設けられる。第１入力インターフェース１２０は、データを入力するために用いられ、メイン受信カード１３は前記入力されたデータを受信して処理し、処理済みのデータが複数の表示ユニットパネル１１からなる表示面に表示され、前記第１出力インターフェース１２２は処理済みのデータを次のディスプレイモジュール１に出力するために用いられる。好ましくは、第１入力インターフェース１２０及び第１出力インターフェース１２２は、両方ともネットワークポートである。また、メイン受信カード１３のメインチップに第１ヒートシンクに設けてもよく、第１ヒートシンクは、メインチップの放熱に有利であり、安定性を向上すると共に寿命を延ばすことができる。
【００２３】
本実施例において、アダプタボード１２は、電源を入力するための電源インターフェース１２４を備え、電源インターフェース１２４がＤＣ電源を入力することで、ディスプレイモジュール１全体に電力を供給する。具体的には、電源インターフェース１２４は、４．５Ｖの直流電圧を入力し、アダプタボード１２を経由して各表示ユニットパネル１１に電力を供給する。なお、入力された直流電圧の大きさは、実際のニーズに応じて調整でき、４．５Ｖに限定されない。
【００２４】
本実施例において、各表示ユニットパネル１１の回路基板１１０の裏面に第１コネクタ１１１が設けられ、アダプタボード１２に複数の第２コネクタ１２６が設けられ、各第１コネクタ１１１は、第２コネクタ１２６に嵌挿されることで、アダプタボード１２が第２コネクタ１２６及び第１コネクタ１１１を通じてデータ及び電源を各表示ユニットパネル１１に伝送して、ディスプレイモジュール１の表示機能を実現する。好ましくは、第１コネクタ１１１はオスコネクタであり、第２コネクタ１２６はメスコネクタである。しかしながら、その他の実施例では、第１コネクタ１１１がメスコネクタで、第２コネクタ１２６がオスコネクタであってもよい。また、アダプタボード１２は、輸送途中の振動による第１コネクタ１１１と第２コネクタ１２６との間の緩みを防ぎ、データ及び電源の伝送に影響を与えないよう、ネジで受枠１０２に固定される。
【００２５】
本実施例において、受枠１０２は、縦横交差構造であり、額縁１００と組み合わせることで複数の取付枠を形成し、各表示ユニットパネル１１の回路基板１１０の周縁は取付枠に接着される。
【００２６】
接着方法で表示ユニットパネル１１を取り付けると、ネジ方法より手間が省け、迅速、高効率である。回路基板１１０の周縁を取付枠に接着すると、回路基板１１０のエッジを最大限に活用し、回路基板１１０の裏面の逃げスペースを減らし、回路基板１１０の裏面におけるデバイスの配置を容易にすることができる。明らかに、隣接する２つの表示ユニットパネル１１は、受枠１０２の一部を共有する。
【００２７】
本実施例において、好ましくは、受枠１０２は、１本の第１梁体（符号を付けていない）と、ｎ本の第２梁体（符号を付けていない）と、を備え、第１梁体は額縁１００の反対側の中央部及び全ての第２梁体の中央部に垂直に連結され、各第２梁体は額縁１００の反対側に垂直に連結される。ここで、ｎは、３、４、５又は６であり得るが、これらに限定されず；対応する表示ユニットパネル１１の数は、８、１０、１２或いは１４であり得るが、これらに限定されない。明らかに、各表示ユニットパネル１１は、額縁１００、第１梁体及び第２梁体に載置される。
【００２８】
本実施例において、受枠１０２の表示ユニットパネル１１から離れた側に凹溝１０３が設けられる。すなわち、第１梁体及び第２梁体の片側に、材料を減らし、受枠１０２の荷重を軽く、コストを削減するための凹溝１０３が設けられる。同時に受枠１０２の強度を確保するため、凹溝１０３は第１梁体と第２梁体の接合部まで延在しない。
【００２９】
本実施例において、ディスプレイモジュール１は、受枠１０２とアダプタボード１２との間に設けられた鉄板１５をさらに備え、鉄板１５がフロントメンテナンス工具の磁性体であるため、フロントメンテナンス工具が磁性鉄板１５を通じてディスプレイモジュール１のフロントメンテナンスを実現する。
【００３０】
本実施例において、ディスプレイモジュール１は、複数の磁石アセンブリ１４をさらに備える。受枠１０２の表示ユニットパネル１１から離れた側に複数の取り付け溝１０４が設けられる。各磁石アセンブリ１４は、取り付け溝１０４に別々に取り付けることができる。前記磁石アセンブリ１４は、ディスプレイモジュール１をボトムケース３又は筐体に磁気的に取り付けるために用いられ、これにより取り付け、取り外しが容易になり、ディスプレイモジュール１のフロントメンテナンスを実現する。
【００３１】
本実施例において、好ましくは、各取り付け溝１０４は、額縁１００の異なるコーナーに近く、凹溝１０３と連通せず、且つ取り付け溝１０４が受枠１０２の最も外側の２本の第２梁体に設けられ、磁石アセンブリ１４が磁石と、ネジと、を備え、ネジが磁石を挿通して磁石を取り付け溝１０４内に固定する。取り付け溝１０４及び磁石アセンブリ１４の数は、両方とも４つである。
【００３２】
本実施例において、図４に示すように、各表示ユニットパネル１１は、回路基板１１０を覆い、複数のピクセルをカプセル化するカプセル化層１１４をさらに備え、カプセル化層１１４は縦横交差溝１１６を有し、溝１１６はカプセル化層１１４を複数の離間したレンズ部１１８に分割し、溝１１６は任意の隣接する２つのピクセルから離間され、各レンズ部１１８がピクセルに対応して配置される。しかしながら、その他の実施例において、カプセル化層１１４は複数の横方向の凹溝を有し、各横方向の凹溝が隣接する２つのピクセルの間に設けられ；又はカプセル化層１１４は、複数の縦方向の凹溝を有し、各縦方向の凹溝が隣接する２つのピクセルの間に設けられる。
【００３３】
本実施例において、各ピクセルは、異なる発光色を有する３つのＬＥＤチップ１１２を備える。好ましくは、異なる発光色を有する３つのＬＥＤチップ１１２は、各々赤色ＬＥＤチップ、青色ＬＥＤチップ及び緑色ＬＥＤチップである。その他の実施例において、各ピクセルは、４つのＬＥＤチップ１１２を有し得る。
【００３４】
図５を参照されたい。図５は、本発明の実施例２に係るディスプレイモジュールの構造模式図である。本実施例２のディスプレイモジュールは、上記実施例１をベースにして以下のように改善される。
すなわち、本実施例のディスプレイモジュール１は、バックアップ受信カード１６をさらに備える。バックアップ受信カード１６は、アダプタボード１２の受枠１０２から離れた面に取付けられる。明らかに、本実施例のディスプレイモジュール１には、バックアップ受信カード１６が追加され、メイン受信カード１３が故障又は動作しない場合、バックアップ受信カード１６がメイン受信カード１３と置き換わり、処理済みのデータを複数の表示ユニットパネル１１上に送信して表示することで、データのバックアップを達成し、ディスプレイモジュール１の正常な動作を確保する。ここで、バックアップ受信カード１６の機能、取付方法は、メイン受信カード１３と同じであるため、ここでの詳細な説明は省略する。
【００３５】
本実施例において、バックアップ受信カード１６は、アダプタボード１２を通じてメイン受信カード１３と通信し合い、メイン受信カード１３の動作状態を監視し、メイン受信カード１３が故障又は動作しない状態が監視されると、バックアップ受信カード１６がメイン受信カード１３と置き換わってデータを処理して表示ユニットパネル１１に処理済みのデータを送信する。
【００３６】
なお、その他の実施例において、データ切替回路をアダプタボード１２に設けてメイン受信カード１３とバックアップ受信カード１６を切り替えることで、データバックアップを実現できる。具体的には、前記データ切替回路は、シングルチップマイコン、デジタルチップ又はその他の切替回路であり得る。前記データ切替回路がシングルチップマイコンの場合、シングルチップマイコンは、メイン受信カード１３内の複数の信号を検出し、信号エラー又は信号なしを検出したとき、データ処理機能をメイン受信カード１３からバックアップ受信カード１６に切り替える。この時、バックアップ受信カード１６がデータを処理し、処理済みのデータを表示ユニットパネル１１に送信する。前記データ切替回路がデジタルチップの場合、デジタルチップは、メイン受信カード１３内のデジタルレベルに立ち上がりエッジ及び立ち下がりエッジがあるかどうかを監視し、メイン受信カード１３内のデジタルレベルに立ち上がりエッジ又は立ち下がりエッジしかないことが監視されると、データ処理機能をメイン受信カード１３からバックアップ受信カード１６に切り替える。この時、バックアップ受信カード１６がデータを処理し、処理済みのデータを表示ユニットパネル１１に送信する。
【００３７】
本実施例において、アダプタボード１２にはバックアップ受信カード１６と電気的に導通する第２入力インターフェース１２６及び第２出力インターフェース１２８が設けられる。第２入力インターフェース１２６は、データを入力するために用いられ、第２出力インターフェース１２８はデータの出力に使用される。すなわち、処理済みのデータを次のディスプレイモジュール１に出力するために用いられる。好ましくは、第２入力インターフェース１２６及び第２出力インターフェース１２８は、両方ともネットワークポートである。
【００３８】
本実施例のメイン受信カード１３とバックアップ受信カード１６の切替の動作原理は、次の通りである。
第１入力インターフェース１２０、メイン受信カード１３及び第１出力インターフェース１２２で構成されたデータの伝送、処理は、第２入力インターフェース１２６、バックアップ受信カード１６及び第２出力インターフェース１２８で構成されるデータの伝送、処理から独立し、メイン受信カード１３及びバッアップ受信カード１６で処理されるデータは、同じ送信カード又は異なる送信カードからのものであり得る。
【００３９】
メイン受信カード１３が正常に動作している時、メイン受信カード１３は第１入力インターフェース１２０から入力されたデータを処理し、処理済みのデータを複数の表示ユニットパネル１１に送信して表示し、第１出力インターフェース１２２は処理済みのデータを隣接する次のディスプレイモジュール１に送信する。同時に、バックアップ受信カード１６は、メイン受信カード１３の動作状態を監視し、メイン受信カード１３に故障又は動作していないことが監視されると、バックアップ受信カード１６がメイン受信カード１３と置き換わり、第２入力インターフェース１２６から入力されたデータを処理し、処理済みのデータを複数の表示ユニットパネル１１に送信して表示し、第２出力インターフェース１２８が処理済みのデータを隣接する次のディスプレイモジュール１に送信する。
【００４０】
図６を参照されたい。図６は、本発明の実施例３に係るディスプレイモジュールの構造模式図である。本実施例３のディスプレイモジュールと上記実施例１との相違点は、次の通りである。
ディスプレイモジュール１は、アダプタボード１２と電気的に接続し、第１直流電圧を第２直流電圧に変換するための第１モジュール電源１７を更に備える。ここで、第１直流電圧は、第２直流電圧よりも大きい。ディスプレイモジュール１へ入力する電源は、先に第１モジュール電源１７によって降圧する必要があるため、アダプタボード１２上に電源インターフェース１２４を設けない。対照的に第１モジュール電源１７は直流電源を入力するための直流電源端子１７０を有する。好ましくは、直流電源端子１７０から入力された４８Ｖの電源は、第１モジュール電源１７によって４．５Ｖに降圧される。
【００４１】
ディスプレイモジュール１にモジュール電源１７を設けることにより、第１モジュール電源１７は、入力された直流電圧をさらに降圧し、アダプタボード１２を通じてメイン受信カード１３及び複数の表示ユニットパネル１１に出力する。２段階の降圧の採用は、電源の放熱に有利である。
【００４２】
本実施例において、第１モジュール電源１７は、コネクタを介してアダプタボード１２に取付けられる。すなわち、第１モジュール電源１７がアダプタボード１２に集積化されることで、第１モジュール電源１７の取り付け、取り外しが容易になり、プラグの抜き差しにも利する。しかしながら、その他の実施例において、前記第１モジュール電源１７は、別個に配置され得る。すなわち、アダプタボード１２に取付けられず、フラットケーブルを通じてアダプタボード１２と電気的に接続して電力を供給する。
【００４３】
本発明は、ディスプレイモジュールの実施例４をさらに提供する。実施例２と実施例３を組み合わせて、実施例４のディスプレイモジュール１のアダプタボード１２上にメイン受信カード１３、バックアップ受信カード１６及び第１モジュール電源１７を同時に集積化する。
【００４４】
本発明は、ディスプレイモジュールの実施例５をさらに提供する。実施例５のディスプレイモジュール１と上記実施例３又は実施例４との相違点は、次の通りである。
ディスプレイモジュール１は、アダプタボード１２に電気的に接続される第２モジュール電源（図示せず）を備え、前記第２モジュール電源は実施例３又は実施例４の第１モジュール電源１７の代わりに、交流電源を直流電源に変換するにために用いられる。すなわち、２２０Ｖの交流電圧を４．５Ｖの直流電圧に変換する。明らかに、良好な放熱を確保する場合において、前記電力供給設計は、電源装置の数を減らし、コストを削減することができる。
【００４５】
なお、前記第２モジュール電源は、アダプタボード１２上に取り付けるか、或いはフラットケーブルを介してアダプタボード１２と電気的に接続できる。
【００４６】
図７を参照されたい。図７は、本発明の実施例６に係るディスプレイモジュールの表示ユニットパネルの構造模式図である。実施例６のディスプレイモジュールと上記実施例１〜実施例５との相違点は、次の通りである。
すなわち、回路基板１１０は、ライト・ドライバボード分離構造を用いる。すなわち、コネクタ１１７を通じて電気的に接続されたライトボード１１１’と、ドライバボード１１３と、を備え、複数のピクセルがライトボード１１１’のドライバボード１１３から離れた面に設けられ、ドライバボード１１３上に複数のドライブチップ１１５が設けられる。
【００４７】
ライト・ドライバボード分離配置の採用は、回路基板１１０の集積度を下げるのに有利であり、ドライブチップ１１５のレイアウトを容易にする。特に、回路基板１１０の正面にＬＥＤチップ１１２を高密度に集積化した時、ライト・ドライバボードを１つに統合する配置を採用すると、回路基板１１０のトレースが多くなり、かつ裏面の面積に限りあるため、高密度のドライブチップ１１５をレイアウトできる場合があり；ライト・ドライバボード分離配置を採用すると、ドライバボード１１３のトレースが比較的少なく、高密度のドライブチップ１１５をレイアウトできる。
【００４８】
本実施例において、ライトボード１１１’にオスコネクタが設けられ、ドライバボード１１３にメスコネクタが設けられ、ドライバボード１１３は、ライトボード１１１’に嵌挿される。同時にドライバボード１１３をライトボード１１１’に固定するため、ドライバボード１１３をライトボード１１１’に螺着することができる。その他の実施例において、ライトボード１１１’にメスコネクタを設けてもよく、ドライバボード１１３にオスコネクタを設けてもよい。
【００４９】
本実施例において、ライトボード１１１’の面積は、ドライバボード１１３の面積よりも大きく、ライトボード１１１’はフレーム１０に取付けられ、接着又は螺着を通じてライトボード１１１’をフレーム１０に固定できる。ライトボード１１１’に第１コネクタ１１１が設けられ、前記第１コネクタ１１１は、ドライバボード１１３を回避して設けられることで、アダプタボード１２の第２コネクタ１２６を第１コネクタ１１１に嵌挿させることができる。ドライバボード１１３は、アダプタボード１２から露出して設けるか、或いはアダプタボード１２とライトボード１１１’との間に設けることができる。
【００５０】
本実施例において、複数のドライブチップ１１５は、ドライバボード１１３のライトボード１１１’から離れた面に設けられ、ドライブチップ１１５のメンテナンスを容易にする。明らかに、その他の実施例において、複数のドライブチップ１１５は、ドライバボード１１３のライトボード１１１’に面する面に設けられるか、或いはドライバボード１１３の両面に設けられる。
【００５１】
本発明は、表示スクリーンをさらに提供する。図８〜図１０を参照されたい。実施例１において、前記表示スクリーン２は、ボトムケース３と、ボトムケース３内に取付けられたディスプレイモジュール１と、を備える。前記ディスプレイモジュール１の具体的な構造については上記実施例１〜実施例４を参照されたい。本実施例の表示スクリーン２は、ディスプレイモジュール１の上記実施例１〜実施例４の全ての技術的手段を採用するので、同様にディスプレイモジュール１の上記実施例１〜実施例４の技術的手段によってもたらされる全ての有利な効果を有する。ここで詳細な説明は省略する。なお、本発明においては、ディスプレイモジュール１の数は、実際のニーズに応じて設けられ、１つ、２つ、４つ或いはそれ以上であり得る。ただし、本実施例において、ディスプレイモジュール１の数は、２つであることが好ましく、前記２つのディスプレイモジュール１は表示面に接合されてボトムケース３内に取り付けられる。
【００５２】
本実施例において、表示スクリーン２はボトムケース３とディスプレイモジュール１との間に設けられ、各々全てのディスプレイモジュール１に電気的に接続され、交流電源を直流電源に変換して電力を供給するための第１電源ユニット４をさらに備える。前記第１電源ユニット４は、交流電源を直流電源に変換した後、直流電源を各ディスプレイモジュール１に出力し、各ディスプレイモジュール１に電力を供給する。
【００５３】
各ディスプレイモジュール１に電源が設置されていない場合、前記第１電源ユニット４は２２０Ｖの交流電源を４．５Ｖの直流電源に変換して、電源インターフェース１２４に出力し；各ディスプレイモジュール１に第１モジュール電源１７が設置されている場合、前記第１電源ユニット４は、２２０Ｖの交流電源を４８Ｖの直流電源に変換して、直流電源端子１７０に出力する。
【００５４】
本実施例において、ボトムケース３の内面には少なくとも一組の突条３０が設けられ、第１電源ユニット４は一組の突条３０に取付けられる。第１電源ユニット４を一組の突条３０に取り付けるのは、第１電源ユニット４の放熱に役立つ。
【００５５】
本実施例において、ボトムケース３は、金属を備える。好ましくは、ボトムケース３は、アルミダイカストで製造され、金属製ボトムケース３は第１電源ユニット４及びディスプレイモジュール１の放熱に有利となる。ボトムケース３は、鉄などの他の金属で製造することもできる。
【００５６】
本実施例において、ボトムケー３の一方の側に第１貫通孔３４が設けられ、他方の側に第２貫通孔３６が設けられ、第１貫通孔３４と第２貫通孔３６は対向して配置される。表示スクリーン２は、データ及び電源を伝送するための第１スプライスコネクタ（図示せず）と第２スプライスコネクタ（図せず）をさらに備え、第１スプライスコネクタはボトムケース３内に取付けられ、第１貫通孔３４を通じて接続でき、第２スプライスコネクタはボトムケース３内に取付けられ、第２貫通孔３６を通じて接続できる。表示スクリーン２の第１スプライスコネクタは、隣接する他の表示スクリーン２の第２スプライスコネクタに嵌挿するために用いられる。
【００５７】
数枚の表示スクリーン２を接合する場合、表示スクリーン２の一方の側を他の表示スクリーン２の他方の側に接合することで、表示スクリーン２の第１スプライスコネクタは隣接する他の表示スクリーン２の第２スプライスコネクタに嵌挿し、接合過程で表示スクリーンの間の電気的な接続（データ及び電源）が完了し、接合完了後にケーブルの接続を行う必要がなくなる。
【００５８】
本実施例において、好ましくは、第１スプライスコネクタは、オスコネクタであり、第１貫通孔３４を通して設けられ；第２スプライスコネクタは、メスコネクタであり；その他の実施例において、配置を逆にすることができる。第１スプライスコネクタは、ボトムケース３の上側に配置し、第２スプライスコネクタはボトムケース３の下側に配置し；その他の実施例において、第１スプライスコネクタは、ボトムケース３の左側に配置でき、第２スプライスコネクタはボトムケース３の右側に配置できる。
【００５９】
本実施例において、ボトムケース３に複数のマグネットアセンブリ３２が設けられ、マグネットアセンブリ３２は、ディスプレイモジュール１上の磁石アセンブリ１４に対応することで、ディスプレイモジュール１上の４つの磁石アセンブリ１４がボトムケース３上の４個マグネットアセンブリ３２に吸着されて、ディスプレイモジュール１をボトムケース３内に取り付け、ディスプレイモジュール１のフロントメンテナンスを実現する。前記マグネットアセンブリ３２は、磁石を備える。
【００６０】
図１１を参照されたい。図１１は、本発明の実施例２に係る表示スクリーンの構造模式図である。本実施例２の表示スクリーンは、上記実施例１をベースにして、以下のように改善される。
すなわち、表示スクリーン２は、第２電源ユニット５をさらに含む。第２電源ユニット５は、ボトムケース３とディスプレイモジュール１との間に設けられ、各々全てのディスプレイモジュール１に電気的に接続され、交流電源を直流電源に変換して電力を供給するために用いられる。
【００６１】
本実施例の表示スクリーン２は、第２電源ユニット５をさらに含む。すなわち、第１電源ユニット４及び第２電源ユニット５が同時に全てのディスプレイモジュール１に電力を供給し、第１電源ユニット４又は第２電源ユニット５が動作できなくなった時、正常に動作している電源ユニットは引き続き電力を供給できることで、表示スクリーン２の正常な動作を保証する。ディスプレイモジュール１の動作電流が３０Ａを例として説明すると、第１電源ユニット４と第２電源ユニット５は同時に電力を供給し、かつ１５Ａの電流を供給し、第１電源ユニット４が動作できなくなった時、第２電源ユニット５だけでディスプレイモジュール１に３０Ａの電流を供給することで、ディスプレイモジュール１の正常な動作を保証する。
【００６２】
本発明は、表示スクリーンの実施例３をさらに提供する。本実施例の表示スクリーンと上記実施例１又は実施例２との相違点は、次の通りである。
ディスプレイモジュール１とボトムケース３との間に電源が設置されず、各ディスプレイモジュール１は直接表示スクリーン２の外部電源に接続される。ディスプレイモジュール１が実施例３又は実施例４のディスプレイモジュール１である場合、表示スクリーン２の外部（配電ボックス）から４８Ｖの直流電源を入力する。ディスプレイモジュール１が実施例５のディスプレイモジュール１である場合、表示スクリーンの外部から２２０Ｖの交流電を直接入力する。すなわち、各ディスプレイモジュール１は直接商用電源と接続する。
【００６３】
本発明は、表示スクリーンの実施例４をさらに提供する。本実施例の表示スクリーンと上記全ての実施例との相違点は、次の通りである。
本実施例の表示スクリーン２の各ディスプレイモジュール１は、実施例６のディスプレイモジュール１である。すなわち、ディスプレイモジュール１の表示ユニットパネル１１がその他の実施例のライト・ドライバボードを１つに統合する構造ではなく、ライト・ドライバボード分離構造である。
【００６４】
本発明は、ディスプレイモジュールを提供する。図１２〜図１５を参照されたい。実施例７において、前記ディスプレイモジュール１は、フレーム１０と、複数の表示ユニットパネル１１と、後カバー部１８と、を備え、複数の表示ユニットパネル１１が接合されてフレーム１０に取り付けられることで、表示面を形成し；前記フレーム１０は、額縁１００と、額縁１００に取り付けられた受枠１０２と、を備え；各表示ユニットパネル１１は、回路基板１１０と、回路基板１１０の前面に取り付けられた複数のピクセルと、を備え、回路基板１１０の裏面は額縁１００及び受枠１０２に接着され、各ピクセルポイントは少なくとも１つのLEDチップ１１２を備える。
【００６５】
本実施例のディスプレイモジュール１は、フレーム１０を介して複数の表示ユニットパネル１１を配置及び接合することによって表示面を形成し、複数の表示ユニットパネル１１がフレーム１０の額縁１００及び受枠１０２に取り付けられるため、接合しやすく、プロセスが単純で信頼性が高く、接合面の平滑性を保証し、かつ表示ユニットパネル１１間の継ぎ目を減らすことができる。
【００６６】
なお、本発明では、回路基板１１０の裏面は、螺着、接着又はその他の方法によりフレーム１０に取付けることができ、例えば、回路基板１１０の裏面に銅ピラーを溶接し、ネジでフレーム１０と銅ピラーを接続する。受枠１０２は、縦横交差構造、斜め交差構造又はその他の構造であり、回路基板１１０の裏面を支持、載置する役目を果たしている。したがって、額縁１００と組み合わせて複数の表示ユニットパネル１１を接合・取り付けるために用いられる。明らかに、回路基板１１０の裏面のデバイスが受枠１０２を回避するよう配置されている。
【００６７】
本実施例において、ディスプレイモジュール１は、フレーム１０と後カバー部１８との間に設けられたアダプタボード１２と、メイン受信カード１３と、をさらに備え、アダプタボード１２は受枠１０２の表示ユニットパネル１１から離れた側に取り付けられ、各々複数の表示ユニットパネル１１と電気的に接続し、メイン受信カード１３はアダプタボード１２の受枠１０２から離れた面に取付けられる。
【００６８】
メイン受信カード１３は、アダプタボード１２に取付けられてアダプタボード１２と電気的に接続される。メイン受信カード１３は、データを受信して処理した後、アダプタボード１２を通じてデータを各表示ユニットパネル１１に伝送することで、データの表示を実現する。ここで、メイン受信カード１３は、受信カードであり、受信制御カード又は制御カードと呼ばれることもあり；アダプタボード１２もＨｕｂボードとも呼ばれる。
【００６９】
本実施例において、メイン受信カード１３は、コネクタを通じてアダプタボード１２上に差し込んで取り付けられ、メイン受信カード１３の取り付け・取り外しを容易にし、迅速な抜き差しを実現する。同時にメイン受信カード１３をアダプタボード１２にさらに固定するため、メイン受信カード１３をアダプタボード１２に螺着する。好ましくは、メイン受信カード１３には２列のメスコネクタを設け、アダプタボード１２にも２列のオスコネクタを設け、メイン受信カード１３のメスコネクタはアダプタボード１２のオスコネクタと嵌合する。しかしながら、その他の実施例において、メイン受信カード１３は、フラットケーブルを介してアダプタボード１２と接続できる。
【００７０】
本実施例において、アダプタボード１２にはメイン受信カード１３と電気的に導通する第１入力インターフェース１２０、第１出力インターフェース１２２が設けられる。第１入力インターフェース１２０は、データを入力するために用いられ、メイン受信カード１３は前記入力されたデータを受信して処理し、処理済みのデータが複数の表示ユニットパネル１１からなる表示面に表示され、前記第１出力インターフェース１２２は処理済みのデータを次のディスプレイモジュール１に出力するために用いられる。第１入力インターフェース１２０及び第１出力インターフェース１２２は、両方ともネットワークポートである。
【００７１】
本実施例において、メイン受信カード１３のメインチップに第１ヒートシンク130に設けてもよく、第１ヒートシンク130は、メインチップの放熱に有利であり、安定性を向上すると共に寿命を延ばすことができる。
【００７２】
本実施例において、アダプタボード１２は、電源を入力するための電源インターフェース１２４を備え、電源インターフェース１２４がＤＣ電源を入力することで、ディスプレイモジュール１全体に電力を供給する。なお、具体的には、電源インターフェース１２４は、４．５Ｖの直流電圧を入力し、アダプタボード１２を経由して各表示ユニットパネル１１に電力を供給する。入力された直流電圧の大きさは、実際のニーズに応じて調整でき、４．５Ｖに限定されない。
【００７３】
本実施例において、各表示ユニットパネル１１の回路基板１１０の裏面に第１コネクタ１１１が設けられ、アダプタボード１２に複数の第２コネクタ１２６が設けられ、各第１コネクタ１１１は、第２コネクタ１２６に嵌挿されることで、アダプタボード１２が第２コネクタ１２６及び第１コネクタ１１１を通じてデータ及び電源を各表示ユニットパネル１１に伝送して、ディスプレイモジュール１の表示機能を実現する。好ましくは、第１コネクタ１１１はオスコネクタであり、第２コネクタ１２６はメスコネクタである。しかしながら、その他の実施例では、第１コネクタ１１１がメスコネクタで、第２コネクタ１２６がオスコネクタであってもよい。また、アダプタボード１２は、輸送途中の振動による第１コネクタ１１１と第２コネクタ１２６との間の緩みを防ぎ、データ及び電源の伝送に影響を与えないよう、ネジで受枠１０２に固定される。
【００７４】
本実施例において、受枠１０２は、縦横交差構造であり、額縁１００と組み合わせることで複数の取付枠を形成し、各表示ユニットパネル１１の回路基板１１０の周縁は取付枠に接着される。
【００７５】
接着方法で表示ユニットパネル１１を取り付けると、ネジ方法より手間が省け、迅速、高効率である。回路基板１１０の周縁を取付枠に接着すると、回路基板１１０のエッジを最大限に活用し、回路基板１１０の裏面の逃げスペースを減らし、回路基板１１０の裏面におけるデバイスの配置を容易にすることができる。明らかに、隣接する２つの表示ユニットパネル１１は、受枠１０２の一部を共有する。
【００７６】
本実施例において、好ましくは、受枠１０２は、１本の第１梁体（符号を付けていない）と、ｎ本の第２梁体（符号を付けていない）と、を備え、第１梁体は額縁１００の反対側の中央部及び全ての第２梁体の中央部に垂直に連結され、各第２梁体は額縁１００の反対側に垂直に連結される。ここで、ｎは、３、４、５又は６であり得るが、これらに限定されず；対応する表示ユニットパネル１１の数は、８、１０、１２或いは１４であり得るが、これらに限定されない。明らかに、各表示ユニットパネル１１は、額縁１００、第１梁体及び第２梁体に載置される。
【００７７】
本実施例において、受枠１０２の表示ユニットパネル１１から離れた側に凹溝１０３が設けられる。すなわち、第１梁体及び第２梁体の片側に、材料を減らし、受枠１０２の荷重を軽く、コストを削減するための凹溝１０３が設けられる。同時に受枠１０２の強度を確保するため、凹溝１０３は第１梁体と第２梁体の接合部まで延在しない
【００７８】
本実施例において、ディスプレイモジュール１は、受枠１０２とアダプタボード１２との間に設けられた鉄板１５をさらに備え、鉄板１５がフロントメンテナンス工具の磁性体であるため、フロントメンテナンス工具が磁性鉄板１５を通じてディスプレイモジュール１のフロントメンテナンスを実現する。
【００７９】
本実施例において、ディスプレイモジュール１は、複数の磁石アセンブリ１４をさらに備える。受枠１０２の表示ユニットパネル１１から離れた側に複数の取り付け溝１０４が設けられ、各取り付け溝１０４が額縁１００の異なるコーナーに近く、凹溝１０３と連通しない。各磁石アセンブリ１４は、取り付け溝１０４に別々に取り付けることができる。前記磁石アセンブリ１４は、ディスプレイモジュール１をボトムケース３又は筐体に磁気的に取り付けるために用いられ、これにより取り付け、取り外しが容易になり、ディスプレイモジュール１のフロントメンテナンスを実現する。
【００８０】
本実施例において、好ましくは、各取り付け溝１０４は、額縁１００の異なるコーナーに近く、凹溝１０３と連通せず、且つ取り付け溝１０４が受枠１０２の最も外側の２本の第２梁体に設けられ、磁石アセンブリ１４が磁石と、ネジと、を備え、ネジが磁石を挿通して磁石を取り付け溝１０４内に固定する。取り付け溝１０４及び磁石アセンブリ１４の数は、両方とも４つである。
【００８１】
本実施例において、図１５に示すように、各表示ユニットパネル１１は、回路基板１１０を覆い、複数のピクセルをカプセル化するカプセル化層１１４をさらに備え、カプセル化層１１４は縦横交差溝１１６を有し、溝１１６はカプセル化層１１４を複数の離間したレンズ部１１８に分割し、溝１１６は任意の隣接する２つのピクセルから離間され、各レンズ部１１８がピクセルに対応して配置される。しかしながら、その他の実施例において、カプセル化層１１４は複数の横方向の凹溝を有し、各横方向の凹溝が隣接する２つのピクセルの間に設けられ；又はカプセル化層１１４は、複数の縦方向の凹溝を有し、各縦方向の凹溝が隣接する２つのピクセルの間に設けられる。
【００８２】
本実施例において、各ピクセルは、異なる発光色を有する３つのＬＥＤチップ１１２を備える。好ましくは、異なる発光色を有する３つのＬＥＤチップ１１２は、各々赤色ＬＥＤチップ、青色ＬＥＤチップ及び緑色ＬＥＤチップである。その他の実施例において、各ピクセルは、４つのＬＥＤチップ１１２を有し得る。
【００８３】
図１６を参照されたい。図１６は、本発明の実施例８に係るディスプレイモジュールの構造模式図である。本実施例８のディスプレイモジュールは、上記実施例７をベースにして以下のように改善される。
すなわち、本実施例のディスプレイモジュール１は、バックアップ受信カード１６をさらに備える。バックアップ受信カード１６は、アダプタボード１２の受枠１０２から離れた面に取付けられる。明らかに、本実施例のディスプレイモジュール１には、バックアップ受信カード１６が追加され、メイン受信カード１３が故障又は動作しない場合、バックアップ受信カード１６がメイン受信カード１３と置き換わり、処理済みのデータを複数の表示ユニットパネル１１上に送信して表示することで、データのバックアップを達成し、ディスプレイモジュール１の正常な動作を確保する。ここで、バックアップ受信カード１６の機能、取付方法は、メイン受信カード１３と同じであるため、ここでの詳細な説明は省略する。
【００８４】
本実施例において、バックアップ受信カード１６は、アダプタボード１２を通じてメイン受信カード１３と通信し合い、メイン受信カード１３の動作状態を監視し、メイン受信カード１３が故障又は動作しない状態が監視されると、バックアップ受信カード１６がメイン受信カード１３と置き換わってデータを処理して表示ユニットパネル１１に処理済みのデータを送信する。
【００８５】
なお、その他の実施例において、データ切替回路をアダプタボード１２に設けてメイン受信カード１３とバックアップ受信カード１６を切り替えることで、データバックアップを実現できる。具体的には、前記データ切替回路は、シングルチップマイコン、デジタルチップ又はその他の切替回路であり得る。前記データ切替回路がシングルチップマイコンの場合、シングルチップマイコンは、メイン受信カード１３内の複数の信号を検出し、信号エラー又は信号なしを検出したとき、データ処理機能をメイン受信カード１３からバックアップ受信カード１６に切り替える。この時、バックアップ受信カード１６がデータを処理し、処理済みのデータを表示ユニットパネル１１に送信する。前記データ切替回路がデジタルチップの場合、デジタルチップは、メイン受信カード１３内のデジタルレベルに立ち上がりエッジ及び立ち下がりエッジがあるかどうかを監視し、メイン受信カード１３内のデジタルレベルに立ち上がりエッジ又は立ち下がりエッジしかないことが監視されると、データ処理機能をメイン受信カード１３からバックアップ受信カード１６に切り替える。この時、バックアップ受信カード１６がデータを処理し、処理済みのデータを表示ユニットパネル１１に送信する。
【００８６】
本実施例において、アダプタボード１２にはバックアップ受信カード１６と電気的に導通する第２入力インターフェース１２６及び第２出力インターフェース１２８が設けられる。第２入力インターフェース１２６は、データを入力するために用いられ、第２出力インターフェース１２８はデータの出力に使用される。すなわち、処理済みのデータを次のディスプレイモジュール１に出力するために用いられる。好ましくは、第２入力インターフェース１２６及び第２出力インターフェース１２８は、両方ともネットワークポートである。
【００８７】
本実施例のメイン受信カード１３とバックアップ受信カード１６の切替の動作原理は、次の通りである。
第１入力インターフェース１２０、メイン受信カード１３及び第１出力インターフェース１２２で構成されたデータの伝送、処理は、第２入力インターフェース１２６、バックアップ受信カード１６及び第２出力インターフェース１２８で構成されるデータの伝送、処理から独立し、メイン受信カード１３及びバッアップ受信カード１６で処理されるデータは、同じ送信カード又は異なる送信カードからのものであり得る。
【００８８】
メイン受信カード１３が正常に動作している時、メイン受信カード１３は第１入力インターフェース１２０から入力されたデータを処理し、処理済みのデータを複数の表示ユニットパネル１１に送信して表示し、第１出力インターフェース１２２は処理済みのデータを隣接する次のディスプレイモジュール１に送信する。同時に、バックアップ受信カード１６は、メイン受信カード１３の動作状態を監視し、メイン受信カード１３に故障又は動作していないことが監視されると、バックアップ受信カード１６がメイン受信カード１３と置き換わり、第２入力インターフェース１２６から入力されたデータを処理し、処理済みのデータを複数の表示ユニットパネル１１に送信して表示し、第２出力インターフェース１２８が処理済みのデータを隣接する次のディスプレイモジュール１に送信する。
【００８９】
図１７を参照されたい。図１７は、本発明の実施例９に係るディスプレイモジュールの構造模式図である。本実施例９のディスプレイモジュールと上記実施例７との相違点は、次の通りである。
ディスプレイモジュール１は、アダプタボード１２と電気的に接続し、第１直流電圧を第２直流電圧に変換するための第１モジュール電源１７を更に備える。ここで、第１直流電圧は、第２直流電圧よりも大きい。ディスプレイモジュール１へ入力する電源は、先に第１モジュール電源１７によって降圧する必要があるため、アダプタボード１２上に電源インターフェース１２４を設けない。対照的に第１モジュール電源１７は直流電源を入力するための直流電源端子１７０を有する。好ましくは、直流電源端子１７０から入力された４８Ｖの電源は、第１モジュール電源１７によって４．５Ｖに降圧される。
【００９０】
ディスプレイモジュール１にモジュール電源１７を設けることにより、第１モジュール電源１７は、入力された直流電圧をさらに降圧し、アダプタボード１２を通じてメイン受信カード１３及び複数の表示ユニットパネル１１に出力する。２段階の降圧の採用は、電源の放熱に有利である。
【００９１】
本実施例において、第１モジュール電源１７は、コネクタを介してアダプタボード１２に取付けられる。すなわち、第１モジュール電源１７がアダプタボード１２に集積化されることで、第１モジュール電源１７の取り付け、取り外しが容易になり、プラグの抜き差しにも利する。しかしながら、その他の実施例において、前記第１モジュール電源１７は、別個に配置され得る。すなわち、アダプタボード１２に取付けられず、フラットケーブルを通じてアダプタボード１２と電気的に接続して電力を供給する。
【００９２】
本発明は、ディスプレイモジュールの実施例１０をさらに提供する。実施例８と実施例９を組み合わせて、実施例１０のディスプレイモジュール１のアダプタボード１２上にメイン受信カード１３、バックアップ受信カード１６及び第１モジュール電源１７を同時に集積化する。
【００９３】
本発明は、ディスプレイモジュールの実施例１１をさらに提供する。実施例１１のディスプレイモジュール１と上記実施例９又は実施例１０との相違点は、次の通りである。
ディスプレイモジュール１は、アダプタボード１２に電気的に接続される第２モジュール電源（図示せず）を備え、前記第２モジュール電源は実施例３又は実施例４の第１モジュール電源１７の代わりに、交流電源を直流電源に変換するにために用いられる。すなわち、２２０Ｖの交流電圧を４．５Ｖの直流電圧に変換する。明らかに、良好な放熱を確保する場合において、前記電力供給設計は、電源装置の数を減らし、コストを削減することができる。
【００９４】
なお、前記第２モジュール電源は、アダプタボード１２上に取り付けるか、或いはフラットケーブルを介してアダプタボード１２と電気的に接続できる。
【００９５】
図１８を参照されたい。図１８は、本発明の実施例１２に係るディスプレイモジュールの表示ユニットパネルの構造模式図である。実施例１２のディスプレイモジュールと上記実施例７〜実施例１１との相違点は、次の通りである。
回路基板１１０は、ライト・ドライバボード分離構造を用いる。すなわち、コネクタ１１７を通じて電気的に接続されたライトボード１１１’と、ドライバボード１１３と、を備え、複数のピクセルがライトボード１１１’のドライバボード１１３から離れた面に設けられ、ドライバボード１１３上に複数のドライブチップ１１５が設けられる。
【００９６】
ライト・ドライバボード分離配置の採用は、回路基板１１０の集積度を下げるのに有利であり、ドライブチップ１１５のレイアウトを容易にする。特に、回路基板１１０の正面にＬＥＤチップ１１２を高密度に集積化した時、ライト・ドライバボードを１つに統合する配置を採用すると、回路基板１１０のトレースが多くなり、かつ裏面の面積に限りあるため、高密度のドライブチップ１１５をレイアウトできる場合があり；ライト・ドライバボード分離配置を採用すると、ドライバボード１１３のトレースが比較的少なく、高密度のドライブチップ１１５をレイアウトできる。
【００９７】
本実施例において、ライトボード１１１’にオスコネクタが設けられ、ドライバボード１１３にメスコネクタが設けられ、ドライバボード１１３は、ライトボード１１１’に嵌挿される。同時にドライバボード１１３をライトボード１１１’に固定するため、ドライバボード１１３をライトボード１１１’に螺着することができる。その他の実施例において、ライトボード１１１’にメスコネクタを設けてもよく、ドライバボード１１３にオスコネクタを設けてもよい。
【００９８】
本実施例において、ライトボード１１１’の面積は、ドライバボード１１３の面積よりも大きく、ライトボード１１１’はフレーム１０に取付けられ、接着又は螺着を通じてライトボード１１１’をフレーム１０に固定できる。ライトボード１１１’に第１コネクタ１１１が設けられ、前記第１コネクタ１１１は、ドライバボード１１３を回避して設けられることで、アダプタボード１２の第２コネクタ１２６を第１コネクタ１１１に嵌挿させることができる。ドライバボード１１３は、アダプタボード１２から露出して設けるか、或いはアダプタボード１２とライトボード１１１’との間に設けることができる。
【００９９】
本実施例において、複数のドライブチップ１１５は、ドライバボード１１３のライトボード１１１’から離れた面に設けられ、ドライブチップ１１５のメンテナンスを容易にする。明らかに、その他の実施例において、複数のドライブチップ１１５は、ドライバボード１１３のライトボード１１１’に面する面に設けられるか、或いはドライバボード１１３の両面に設けられる。
【０１００】
本発明は、表示スクリーンをさらに提供する。図１９〜図２３を参照されたい。実施例５において、前記表示スクリーン２は、筐体３’と、筐体３’内に取付けられたディスプレイモジュール１と、を備える。前記ディスプレイモジュール１の具体的な構造については上記実施例７〜実施例１０を参照されたい。本実施例の表示スクリーン２は、ディスプレイモジュール１の上記実施例７〜実施例１０の全ての技術的手段を採用するので、同様にディスプレイモジュール１の上記実施例７〜実施例１０の技術的手段によってもたらされる全ての有利な効果を有する。ここで詳細な説明は省略する。なお、本発明においては、ディスプレイモジュール１の数は、実際のニーズに応じて設けられ、１つ、２つ、４つ或いはそれ以上であり得る。ただし、本実施例において、ディスプレイモジュール１の数は、２つであることが好ましく、前記２つのディスプレイモジュール１は表示面に接合されて筐体３’内に取り付けられる。
【０１０１】
本実施例において、表示スクリーン２は、筐体３’に個別に取り付けられた電源モジュール４’をさらに備え、電源モジュール４’がシェル４０と、シェル４０内に収容された第１電源ユニット４２と、を備え、第１電源ユニット４２が各々全てのディスプレイモジュール１と電気的に接続し、交流電源を直流電源に変換して電力を供給するために用いられる。
【０１０２】
電源モジュール４’と筐体３’ は、別々に組み立てることができるので、電源モジュール４’の交換とメンテナンスに便利で、フロント・リアメンテナンスも実現できる。
【０１０３】
本実施例において、シェル４０の一端に突起４６が設けられ、筐体３’は突起４６に対応して収容溝３４’を有し、突起４６は収容溝３４’内に収容される。電源モジュール４’は、ロックレバー４２をさらに備え、筐体３’はロックレバー４２に対応する係合孔３０’を有し、ロックレバー４２がシェル４０の他端を通して係合孔３０’に挿入されると共に係合孔３０’と係合する。
【０１０４】
ロックレバー４２と係合孔３０’が係合する時、電源モジュール４’は、筐体３’に取付けられ；ロックレバー４２と係合孔３０’の係合を解除した時、ロックレバー４２は係合孔３０’から取り出すことができ、同時に突起４６を収容溝３４’から出すことで電源モジュール４’と筐体３’の分離を実現する。
【０１０５】
各ディスプレイモジュール１に電源が設置されていない場合、前記第１電源ユニット４は２２０Ｖの交流電源を４．５Ｖの直流電源に変換して、電源インターフェース１２４に出力し；各ディスプレイモジュール１に第１モジュール電源１７が設置されている場合、前記第１電源ユニット４は、２２０Ｖの交流電源を４８Ｖの直流電源に変換し、直流電源端子１７０に出力する。
【０１０６】
本実施例において、筐体３’に複数のマグネットアセンブリ３２が設けられ、マグネットアセンブリ３２は、ディスプレイモジュール１上の磁石アセンブリ１４に対応することで、ディスプレイモジュール１上の４つの磁石アセンブリ１４が筐体３’上の４個マグネットアセンブリ３２に吸着されて、ディスプレイモジュール１を筐体３’内に取り付け、ディスプレイモジュール１のフロントメンテナンスを実現する。前記マグネットアセンブリ３２は、磁石を備える。
【０１０７】
図２３、図２４ａ〜図２４ｂを参照されたい。図２４ａ−２４ｂは、本実施例の表示スクリーンのフロントメンテナンス原理図である。フロントメンテナンスマグネット工具でディスプレイモジュール１を磁気的に吸着してディスプレイモジュール１と筐体３’を分離させて、ディスプレイモジュール１のフロントメンテナンスを実現し；次に、表示スクリーン２の前面から筐体３’のフレームを通し、ロックレバー４２を回転してロックレバー４２と係合孔３０’の係合を解除させ、電源モジュール４’と筐体３’を分離させ；最後に、表示スクリーン２の背面から電源モジュール４’を筐体３’のフレームを通し、電源モジュール４のフロントメンテナンスを実現する。
【０１０８】
図２５ａ〜２５ｂを参照されたい。図２５ａ〜２５ｂは、本実施例の表示スクリーンのリアメンテナンス原理図である。ロックレバー４２を回転させることでロックレバー４２と係合孔３０’の係合を解除させ、電源モジュール４’と筐体３’を分離させることで、電源モジュール４’のリアメンテナンスを実現し；表示スクリーン２の背面からディスプレイモジュール１を前方に移動するように押し、ディスプレイモジュール１と筐体３’を分離させ、そしてディスプレイモジュール１を回転させ、表示スクリーン２の前面からディスプレイモジュール１を筐体３’のフレームに通して移動することで、ディスプレイモジュール１のリアメンテナンスを実現する。
【０１０９】
本発明はまた、表示スクリーンの実施例６をさらに提供する。図２１〜図２３を組み合わせ、実施例６の表示スクリーンは上記実施例５をベースにして、以下のように改善される。すなわち、表示スクリーン２は、シェル４０内に収容される第２電源ユニット５（図示せず）をさらに備える。第２電源ユニット５は、各々全てのディスプレイモジュール１と電気的に接続し、交流電源を直流電源に変換して電力を供給するために用いられる。
【０１１０】
本実施例の表示スクリーン２は、第２電源ユニット５をさらに含む。すなわち、第１電源ユニット４及び第２電源ユニット５が同時に全てのディスプレイモジュール１に電力を供給し、第１電源ユニット４又は第２電源ユニット５が動作できなくなった時、正常に動作している電源ユニットは引き続き電力を供給できることで、表示スクリーン２の正常な動作を保証する。ディスプレイモジュール１の動作電流が３０Ａを例として説明すると、第１電源ユニット４と第２電源ユニット５は同時に電力を供給し、かつ１５Ａの電流を供給し、第１電源ユニット４が動作できなくなった時、第２電源ユニット５だけでディスプレイモジュール１に３０Ａの電流を供給することで、ディスプレイモジュール１の正常な動作を保証する。
【０１１１】
本発明は、表示スクリーンの実施例７をさらに提供する。本実施例の表示スクリーンと上記実施例５又は実施例６との相違点は、次の通りである。
筐体３’に電源が設置されず、各ディスプレイモジュール１は直接表示スクリーン２の外部電源に接続される。ディスプレイモジュール１が実施例９は実施例１０のディスプレイモジュール１である場合、表示スクリーン２の外部（配電ボックス）から４８Ｖの直流電源を入力する。ディスプレイモジュール１が実施例１１のディスプレイモジュール１である場合、表示スクリーンの外部から２２０Ｖの交流電を直接入力する。すなわち、各ディスプレイモジュール１は直接商用電源と接続する。
【０１１２】
本発明は、表示スクリーンの実施例８をさらに提供する。本実施例の表示スクリーンと上記全ての実施例との相違点は、次の通りである。
本実施例の表示スクリーン２の各ディスプレイモジュール１は、実施例１２のディスプレイモジュール１である。すなわち、ディスプレイモジュール１の表示ユニットパネル１１がその他の実施例のライト・ドライバボードを１つに統合する構造ではなく、ライト・ドライバボード分離構造である。
【０１１３】
本発明は、ディスプレイシステムをさらに提供する。図２６を参照されたい。一実施例において、前記ディスプレイシステムは、スタンド６と、スタンド６に取付けられた表示スクリーン２と、を備える。前記表示スクリーン２の具体的な構造は、上記実施例を参照されたい。本実施例のディスプレイシステムは、上記全ての実施例の全ての技術的手段を採用するので、同様に上記実施例の技術的手段によってもたらされる全ての有利な効果を有する。ここで詳細な説明は省略する。なお、本発明においては、表示スクリーン２の数は、実際のニーズに応じて設けられ、２つ、４つ、６つ、８つ或いはそれ以上であり得る。
【０１１４】
本実施例において、スタンド６に複数の連結板６０が設けられ、各連結板６０は、スタンド６上で上下に移動し、適切な位置に調整し、適切な位置に固定することができ、そして連結板６０が隣接する表示スクリーン２のボトムケース３の裏面のコーナーに螺着されことで、スタンド６上の表示スクリーン２の連結を実現する。
【０１１５】
上記は、本発明の好ましい実施例に過ぎず、本発明の特許請求の範囲を限定することを意図するものではない。本発明の技術的思想を逸脱しない範囲で、本発明の明細書及び添付図面の内容を利用して行われる均等範囲内の構造置換又は直接的／間接的にその他の関連技術分野に運用される場合は、本発明の保護範囲に含まれるべきである。
【図１】
2021522560.tif 000003
【図２】
2021522560.tif 000004
【図３】
2021522560.tif 000005
【図４】
2021522560.tif 000006
【図５】
2021522560.tif 000007
【図６】
2021522560.tif 000008
【図７】
2021522560.tif 000009
【図８】
2021522560.tif 000010
【図９】
2021522560.tif 000011
【図１０】
2021522560.tif 000012
【図１１】
2021522560.tif 000013
【図１２】
2021522560.tif 000014
【図１３】
2021522560.tif 000015
【図１４】
2021522560.tif 000016
【図１５】
2021522560.tif 000017
【図１６】
2021522560.tif 000018
【図１７】
2021522560.tif 000019
【図１８】
2021522560.tif 000020
【図１９】
2021522560.tif 000021
【図２０】
2021522560.tif 000022
【図２１】
2021522560.tif 000023
【図２２】
2021522560.tif 000024
【図２３】
2021522560.tif 000025
【図２４ａ】
2021522560.tif 000026
【図２４ｂ】
2021522560.tif 000027
【図２５ａ】
2021522560.tif 000028
【図２５ｂ】
2021522560.tif 000029
【図２６】
2021522560.tif 000030
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
額縁と、前記額縁に取り付けられた受枠と、を備えるフレームと、
前面及び裏面を有し、前記裏面が前記額縁及び前記受枠に取り付けられた回路基板と、前記前面に取り付けられ、少なくとも１つのＬＥＤチップを各々備える複数のピクセルと、を含み、接合されて前記フレームに取り付けられることで、表示面を形成する複数の表示ユニットパネルと、
を備えることを特徴とする、ディスプレイモジュール。 
【請求項２】
前記受枠は、縦横交差構造であり、前記額縁と組み合わせることで複数の取付枠を形成し、各前記表示ユニットパネルの前記回路基板の周縁が前記取付枠に接着されることを特徴とする、請求項１に記載のディスプレイモジュール。
【請求項３】
複数の磁石アセンブリをさらに備え、前記受枠の前記表示ユニットパネルから離れた側に複数の取り付け溝が設けられ、各前記磁石アセンブリは、前記取り付け溝に別々に取り付けることができることを特徴とする、請求項１に記載のディスプレイモジュール。
【請求項４】
各前記表示ユニットパネルは、前記回路基板を覆い、前記複数のピクセルをカプセル化するカプセル化層をさらに備え、前記カプセル化層は縦横交差溝を有し、前記溝は前記カプセル化層を複数の離間したレンズ部に分割し、前記溝は任意の隣接する２つの前記ピクセルから離間され、各前記レンズ部が前記ピクセルに対応して配置され；
前記カプセル化層は、複数の横方向の凹溝を有し、各前記横方向の凹溝が隣接する２つの前記ピクセルの間に設けられ；又は
前記カプセル化層は、複数の縦方向の凹溝を有し、各前記縦方向の凹溝が隣接する２つの前記ピクセルの間に設けられる、
ことを特徴とする、請求項１に記載のディスプレイモジュール。
【請求項５】
ボトムケースと、前記ボトムケースに取り付けられたディスプレイモジュールと、を備え、２つ以上の前記ディスプレイモジュールが接合されて表示面を形成するように配置され、前記ディスプレイモジュールは、
額縁と、前記額縁に取り付けられた受枠と、を備えたフレームと、
前面及び裏面を有し、前記裏面が前記額縁及び前記受枠に取り付けられる回路基板と、前記前面に取り付けられ、少なくとも１つのＬＥＤチップを各々備えた複数のピクセルと、を含み、接合されて前記フレームに取り付けられることで、表示面を形成する複数の表示ユニットパネルと、
を備えることを特徴とする、表示スクリーン。
【請求項６】
前記ボトムケースの一方の側に第１貫通孔が設けられ、他方の側に第２貫通孔が設けられ、前記第１貫通孔と前記第２貫通孔が対向して配置され；
前記表示スクリーンは、データ及び電源を伝送するための第１スプライスコネクタと第２スプライスコネクタをさらに備え、前記第１スプライスコネクタが前記ボトムケース内に取付けられ、前記第１貫通孔を通じて接続でき、前記第２スプライスコネクタが前記ボトムケース内に取付けられ、前記第２貫通孔を通じて接続でき；
前記表示スクリーンの前記第１スプライスコネクタは、隣接する他の前記表示スクリーンの前記第２スプライスコネクタと嵌挿するために用いられる、
ことを特徴とする、請求項５に記載の表示スクリーン。
【請求項７】
各前記表示ユニットパネルは、前記回路基板を覆い、前記複数のピクセルをカプセル化するカプセル化層をさらに備え、前記カプセル化層が縦横交差溝を有し、前記溝が前記カプセル化層を複数の離間したレンズ部に分割し、前記溝が任意の隣接する２つの前記ピクセルから離間され、各前記レンズ部が前記ピクセルに対応して配置され；
前記カプセル化層は、複数の横方向の凹溝を有し、各前記横方向の凹溝が隣接する２つの前記ピクセルの間に設けられ；又は
前記カプセル化層は、複数の縦方向の凹溝を有し、各前記縦方向の凹溝が隣接する２つの前記ピクセルの間に設けられる、
ことを特徴とする、請求項５に記載の表示スクリーン。
【請求項８】
前記受枠は、縦横交差構造であり、前記額縁と組み合わせることで複数の取付枠を形成し、各前記表示ユニットパネルの前記回路基板の周縁が前記取付枠に接着されることを特徴とする、請求項５に記載の表示スクリーン。
【請求項９】
スタンドと、前記スタンドに取り付けられた表示スクリーンと、を備え、２つ以上の前記ディスプレイモジュールが接合されて表示面を形成するように配置されるディスプレイシステムであって、前記表示スクリーンは、ボトムケースと、前記ボトムケースに取り付けられたディスプレイモジュールと、を備え、２つ以上のディスプレイモジュールが接合されて表示面を形成するように配置され、前記ディスプレイモジュールが、
額縁と、前記額縁に取り付けられた受枠と、を備えたフレームと、
前面及び裏面を有し、前記裏面が前記額縁及び前記受枠に取り付けられる回路基板と、前記前面に取り付けられ、少なくとも１つのＬＥＤチップを各々備えた複数のピクセルと、を含み、接合されて前記フレームに取り付けられることで、表示面を形成する複数の表示ユニットパネルと、
を備えることを特徴とする、ディスプレイシステム。
【請求項１０】
順次配置された複数の表示ユニットパネルと、フレームと、後カバー部と、を備え、前記複数の表示ユニットパネルが接合されて前記フレームに取り付けられることで、表示面を形成し、前記フレームが前記後カバー部に取付けられ；
前記フレームは、額縁と、前記額縁に取り付けられた受枠と、を備え；
各前記表示ユニットパネルは、回路基板と、前記回路基板の前面に取り付けられた複数のピクセルと、を備え、前記回路基板の裏面が前記額縁及び前記受枠に取り付けられ、各前記ピクセルポイントが少なくとも１つのLEDチップを備える、
ことを特徴とするディスプレイモジュール。
【請求項１１】
前記受枠は、縦横交差構造であり、前記額縁と組み合わせることで複数の取付枠を形成し、各前記表示ユニットパネルの前記回路基板の周縁が前記取付枠に接着されることを特徴とする、請求項１０に記載のディスプレイモジュール。
【請求項１２】
複数の磁石アセンブリをさらに備え、前記受枠の前記表示ユニットパネルから離れた側に複数の取り付け溝が設けられ、各取り付け溝は、前記額縁の異なる隅部に近く；
各前記磁石アセンブリは、前記取り付け溝に別々に取り付けることができる、
ことを特徴とする、請求項１０に記載のディスプレイモジュール。
【請求項１３】
各前記表示ユニットパネルは、前記回路基板を覆い、前記複数のピクセルをカプセル化するカプセル化層をさらに備え、前記カプセル化層が縦横交差溝を有し、前記溝が前記カプセル化層を複数の離間したレンズ部に分割し、前記溝が任意の隣接する２つの前記ピクセルから離間され、各前記レンズ部が前記ピクセルに対応して配置され；
前記カプセル化層は、複数の横方向の凹溝を有し、各前記横方向の凹溝が隣接する２つの前記ピクセルの間に設けられ；又は
前記カプセル化層は、複数の縦方向の凹溝を有し、各前記縦方向の凹溝が隣接する２つの前記ピクセルの間に設けられる、
ことを特徴とする、請求項１０に記載のディスプレイモジュール。
【請求項１４】
筐体と、前記筐体に取り付けられたディスプレイモジュールと、を備え、２つ以上のディスプレイモジュールが接合されて表示面を形成するように配置され、前記ディスプレイモジュールは、順次配置された複数の表示ユニットパネルと、フレームと、後カバー部と、を備え、前記複数の表示ユニットパネルが接合されて前記フレームに取り付けられることで、表示面を形成し、前記フレームが前記後カバー部に取付けられ；
前記フレームは、額縁と、前記額縁に取り付けられた受枠と、を備え；
各前記表示ユニットパネルは、回路基板と、前記回路基板の前面に取り付けられた複数のピクセルと、を備え、前記回路基板の裏面が前記額縁及び前記受枠に取り付けられ、各前記ピクセルポイントが少なくとも１つのLEDチップを備える、
ことを特徴とする表示スクリーン。
【請求項１５】
スタンドと、前記スタンドに取り付けられた表示スクリーンと、を備え、２つ以上の前記ディスプレイモジュールが接合されて表示面を形成するように配置されるディスプレイシステムであって、前記表示スクリーンは、筐体と、前記筐体に取り付けられたディスプレイモジュールと、を備え、２つ以上のディスプレイモジュールが接合されて表示面を形成するように配置され、前記ディスプレイモジュールが順次配置された複数の表示ユニットパネルと、フレームと、後カバー部と、を備え、前記複数の表示ユニットパネルが接合されて前記フレームに取り付けられることで、表示面を形成し、前記フレームが前記後カバー部に取付けられ；
前記フレームは、額縁と、前記額縁に取り付けられた受枠と、を備え；
各前記表示ユニットパネルは、回路基板と、前記回路基板の前面に取り付けられた複数のピクセルと、を備え、前記回路基板の裏面が前記額縁及び前記受枠に取り付けられ、各前記ピクセルポイントが少なくとも１つのLEDチップを備えることを特徴とする、ディスプレイシステム。
【国際調査報告】
2021522560.tif 000031
2021522560.tif 000032
2021522560.tif 000033
2021522560.tif 000034
2021522560.tif 000035